【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
記憶媒体に保存された残高情報により貸し出された遊技媒体を用いて遊技を行うカード式の遊技機であって、
遊技者の操作に応じて前記遊技を進行させる遊技制御手段と、
前記遊技の進行に伴い、遊技者が前記遊技に用いることができる前記遊技媒体の数である手持数をカウントする手持数カウント手段と、
予め定められた時点から現在までの遊技期間内における前記遊技に用いられた前記遊技媒体の数であり、払出金額の算出に用いられる使用数をカウントする使用数カウント手段と、
前記カウントされた使用数が予め定められた上限数に達した場合に、遊技を終了させる遊技終了手段と、
を備えたことを特徴とするカード式の遊技機。
【請求項２】
記憶媒体に保存された残高情報を払出制御手段により読出し、該読出された残高情報の範囲内で遊技を行うカード式の遊技機であって、
遊技者の操作に応じて前記遊技を進行させる遊技制御手段と、
前記遊技の進行に伴い、遊技者が前記遊技に用いることができる手持数をカウントする手持数カウント手段と、
予め定められた時点から現在までの遊技期間内における前記遊技に用いられた前記遊技媒体の数であり、払出金額の算出に用いられる使用数をカウントする使用数カウント手段と、を備え、
該使用数カウント手段を前記遊技制御手段又は前記払出制御手段に備えた、
ことを特徴とするカード式の遊技機。
【手続補正２】
【補正対象書類名】明細書
【補正対象項目名】０００９
【補正方法】変更
【補正の内容】
【０００９】
上記課題に鑑みてなされた請求項１に係る発明は、記憶媒体に保存された残高情報により貸し出された遊技媒体を用いて遊技を行うカード式の遊技機であって、
遊技者の操作に応じて前記遊技を進行させる遊技制御手段と、
前記遊技の進行に伴い、遊技者が前記遊技に用いることができる前記遊技媒体の数である手持数をカウントする手持数カウント手段と、
予め定められた時点から現在までの遊技期間内における前記遊技に用いられた前記遊技媒体の数であり、払出金額の算出に用いられる使用数をカウントする使用数カウント手段と、
前記カウントされた使用数が予め定められた上限数に達した場合に、遊技を終了させる遊技終了手段と、
を備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００２０
【補正方法】変更
【補正の内容】
【００２０】
また、請求項２に係る発明は、記憶媒体に保存された残高情報を払出制御手段により読出し、該読出された残高情報の範囲内で遊技を行うカード式の遊技機であって、
遊技者の操作に応じて前記遊技を進行させる遊技制御手段と、
前記遊技の進行に伴い、遊技者が前記遊技に用いることができる手持数をカウントする手持数カウント手段と、
予め定められた時点から現在までの遊技期間内における前記遊技に用いられた前記遊技媒体の数であり、払出金額の算出に用いられる使用数をカウントする使用数カウント手段と、を備え、
該使用数カウント手段を前記遊技制御手段又は前記払出制御手段に備えた、
ことを特徴とする。
【手続補正５】
【補正対象書類名】明細書
【補正対象項目名】００２１
【補正方法】変更
【補正の内容】
【００２１】
また、カード式の遊技機は、遊技媒体を貸し出す際の貸出金額の設定を受け付ける貸出受付手段と、遊技媒体の貸し出しに用いられる記憶媒体に保存された残高情報により、貸出受付手段を介して設定された貸出金額に応じた遊技媒体の貸し出しが可能か否かを判定する判定手段と、判定手段により肯定判定がなされると、該判定に係る貸出金額に応じた数の遊技媒体を手持遊技媒体として遊技者に貸し出す貸出手段と、遊技期間内に貸し出された手持遊技媒体に応じた貸出金額の総額を算出する総額算出手段と、をさらに備えても良い。
【手続補正６】
【補正対象書類名】明細書
【補正対象項目名】００２２
【補正方法】変更
【補正の内容】
【００２２】
遊技終了手段は、総額算出手段により算出された貸出金額の総額が、予め定められた下限金額に達しておらず、且つ、使用数が予め定められた上限数に達したという手段であっても良い。
【手続補正７】
【補正対象書類名】明細書
【補正対象項目名】００２３
【補正方法】変更
【補正の内容】
【００２３】
このようなカード式に遊技機によれば、記憶媒体に保存された残高情報に基づき球貸し（遊技媒体の貸し出し）がなされると共に、遊技終了時には、その時点の遊技者のカウントされた手持数に応じた払出金額が算出され、記憶媒体に保存される。なお、例えば、遊技者が記憶媒体をパチンコ店の店員等に提示し、これを提示された店員が記憶媒体に保存された払出金額の範囲内で景品を提供することで、手持遊技媒体が景品に交換される。
【手続補正８】
【補正対象書類名】明細書
【補正対象項目名】００２６
【補正方法】変更
【補正の内容】
【００２６】
さらに、請求項１に記載の構成によれば、終了条件が満たされると遊技が終了となり、その時点で遊技者が有する手持数が精算され、付加料金が徴収された後に払出金額が記憶媒体に保存できる。このため、例えば、手持数や遊技の状況等に基づき終了条件を設定することで、遊技で獲得した手持遊技媒体を用いて行われる持たせ遊技を自動的に終了させることができ、これにより持たせ遊技に制限を課すことが可能となる。これにより、遊技者に過剰に遊技媒体が付与されるのを防ぐことができ、パチンコ店の損失を抑えることができる。
【手続補正９】
【補正対象書類名】明細書
【補正対象項目名】００２８
【補正方法】変更
【補正の内容】
【００２８】
したがって、パチンコ店は、損失を被ること無く出玉率を向上させることができると共に、遊技者の手持遊技媒体を確実に保護することができ、遊技者に十分な出玉感を与えることが可能となる。
【手続補正１０】
【補正対象書類名】明細書
【補正対象項目名】００２９
【補正方法】変更
【補正の内容】
【００２９】
また、遊技に投入した金額が少ないのに長時間にわたり遊技が行われた場合には、遊技者は遊技によりある程度の手持遊技媒体を獲得していると考えられ、最終的に得られた利益が少なかったとしても、遊技者はある程度の満足感を得ていると考えられる。
これに対し、請求項１に記載の構成によれば、遊技者が、投入金額が少ないのに長時間にわたり遊技が行われた（使用数が上限数に達した）という場合に、遊技を終了させて施設使用料等を徴収することができる。このため、遊技者がある程度の満足感を得た段階で施設使用料等を徴収することができ、施設使用料等を支払うことへの遊技者の不満を抑えることができる。また、投入金額が少ない場合には、遊技者は長時間にわたり該遊技を継続することができず、遊技者に過剰な利益を与えてしまうことを防ぐことができる。
一方、遊技者が多くの金額を遊技に投入した場合や、十分な手持遊技媒体を獲得できていないという場合には、長時間にわたり遊技を継続することができ、該遊技者に対し投入金額に応じた景品を獲得するチャンスを与えることができる。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】